(57)【特許請求の範囲】
【請求項１】
地上に据え付けられるベースフレームと、該ベースフレームに昇降シリンダを介して昇降可能に取り付けられたチャックフレームとを備えたチュービング装置において、前記チャックフレームに取り付けられる梯子を備え、前記梯子は、前記チャックフレームが最も上昇した際の地上から前記チャックフレームまでの高さ寸法以上の長さ寸法を有する一対の脚部と、該脚部間に配置される複数の足載せ部材とを備え、前記チャックフレームの一側部には、前記脚部を、該脚部に沿ってスライド可能な状態で包持する一対の脚部保持部材を突設したことを特徴とするチュービング装置。
【請求項２】
前記一対の脚部は、上端部を逆Ｕ字状に折り返して前記チャックフレームの昇降方向に対して平行な方向に配置される折返し部が一体に形成され、該折返し部を前記脚部保持部材に包持させると共に、前記折返し部は、前記チャックフレームが最も下降した際に、前記脚部保持部材が前記折返し部の下端側を包持可能な長さ寸法を備えていることを特徴とする請求項１記載のチュービング装置。
【発明の詳細な説明】
【技術分野】
【０００１】
本発明は、チュービング装置に関し、詳しくは、ベースフレームに対して昇降可能に設けられたチャックフレームに梯子を取り付ける構造に関する。
【背景技術】
【０００２】
従来、チュービング装置では、地上に据え付けられるベースフレームに昇降シリンダを介して、チャックフレームとドライブフレームとが昇降可能に取り付けられている。このようなチュービング装置では、作業者がチャックフレームに取り付けられているデッキ上で作業する際には、梯子を用いて前記デッキに昇降していた。この梯子として、チャックフレームの昇降位置に対応して、伸縮可能に形成された梯子が用いられることがあった（例えば、特許文献１及び２参照。）。
【先行技術文献】
【特許文献】
【０００３】
【特許文献１】特開２００６−２８３４６８号公報
【特許文献２】特開２００７−２２４５７３号公報
【発明の概要】
【発明が解決しようとする課題】
【０００４】
しかし、上述の特許文献１及び特許文献２のものでは、チャックフレームの高さに応じて、梯子の長さを調整しなければならず、また、最大近くまで伸ばすと不安定になることがあった。
【０００５】
そこで本発明は、チャックフレームの昇降位置に拘わらず、チャックフレームに取り付けられたデッキ上に安全に昇降できる梯子を備えたチュービング装置を提供することを目的としている。
【課題を解決するための手段】
【０００６】
上記目的を達成するため、本発明のチュービング装置は、地上に据え付けられるベースフレームと、該ベースフレームに昇降シリンダを介して昇降可能に取り付けられたチャックフレームとを備えたチュービング装置において、前記チャックフレームに着脱可能に取り付けられる梯子を備え、前記梯子は、前記チャックフレームが最も上昇した際の地上から前記チャックフレームまでの高さ寸法以上の長さ寸法を有する一対の脚部と、該脚部間に配置される複数の足載せ部材とを備え、前記チャックフレームの一側部には、前記脚部を、該脚部に沿ってスライド可能な状態で包持する一対の脚部保持部材を突設したことを特徴としている。また、前記一対の脚部は、上端部を逆Ｕ字状に折り返して前記チャックフレームの昇降方向に対して平行な方向に配置される折返し部が一体に形成され、該折返し部を前記脚部保持部材に包持させると共に、前記折返し部は、前記チャックフレームが最も下降した際に、前記脚部保持部材が前記折返し部の下端側を包持可能な長さ寸法を備えていると好適である。
【発明の効果】
【０００７】
本発明のチュービング装置によれば、チャックフレームの一側部に、梯子の脚部を包持すると共に、脚部に沿ってスライド可能に設けられる一対の脚部保持部材を設けたので、チャックフレームの昇降に応じて、脚部保持部材が梯子の脚部を上下方向にスライドし、チャックフレームの昇降位置に関係なく梯子を確実に保持できる。さらに、脚部は、チャックフレームが最も上昇した際の地上からチャックフレームまでの高さ寸法と略同一の長さ寸法を備えていることから、チャックフレームの昇降に拘わらず、梯子を良好な状態で保持することができ、梯子の高さ調整を行う必要もない。
【０００８】
また、一対の脚部の上端部に、逆Ｕ字状の折返し部を形成し、該折返し部を前記脚部保持部材に包持させることにより、脚部保持部材に折返し部を簡単に連結させることができる。さらに、折返し部は、チャックフレームが最も下降した際に、脚部保持部材が包持可能な長さ寸法を備えていることから、チャックフレームが最も下降した際でも、梯子を良好な状態でチャックフレームに保持しておくことができる。
【図面の簡単な説明】
【０００９】
【図１】本発明の第１形態例を示す梯子を取り付けた状態のチュービング装置の正面図である。
【図２】同じくチャックフレーム上昇時における梯子を取り付けた状態のチュービング装置の正面図である。
【図３】同じく梯子の斜視図である。
【図４】本発明の第２形態例を示す梯子を取り付けた状態のチュービング装置の正面図である。
【図５】同じくチャックフレーム上昇時における梯子を取り付けた状態のチュービング装置の正面図である。
【図６】同じく梯子の斜視図である。
【発明を実施するための形態】
【００１０】
図１乃至図３は本発明の第１形態例を示すもので、チュービング装置１１は、地上に据え付けられるベースフレーム１２に立設した４本の昇降シリンダ１３に、チャックフレーム１４とドライブフレーム１５とが昇降可能に取り付けられている。各フレーム１２，１４，１５の中央部には、ケーシング挿通孔がそれぞれ設けられ、該ケーシング挿通孔に挿通したケーシングチューブをチャック手段にて把持し、回転駆動手段によりケーシングチューブを揺動させたり、回転させたりしながらケーシングチューブを地中に押し込んだり、地中から引き抜いたりする。最も上方に配置されるチャックフレーム１４には、作業者がチャックフレーム１４に取り付けられたデッキ上に昇って作業を行うために使用する梯子１６が取り付けられている。
【００１１】
梯子１６は、パイプ材で形成された一対の脚部１６ａ，１６ａと、該脚部１６ａ，１６ａを繋ぐ複数の足載せ部材１６ｂとを備えたもので、脚部１６ａは、上端部に設けられる逆Ｕ字状の折返し部１６ｃ，１６ｃと、該折返し部１６ｃ，１６ｃの先端を繋ぐ連結部１６ｄとを備えると共に、下端部に、円形の接地板１６ｅ，１６ｅが設けられている。
【００１２】
チャックフレーム１４の一側部には、板部材を折返し部１６ｃの外面に対応した形状に湾曲させて、折返し部１６ｃの外側を包持可能に形成した一対の脚部保持部材１７，１７が湾曲部内面を対向して設けられている。この脚部保持部材１７は、チャックフレーム１４の昇降に伴って、折返し部１６ｃを包持して保持した状態で上下方向にスライド可能に設けられている。また、各脚部１６ａの長さ寸法は、チャックフレーム１４を最も上昇させた際の地上からチャックフレーム１４までの高さ寸法と略同一に形成されると共に、折返し部１６ｃ，１６ｃは、チャックフレーム１４が最も下降した際に、脚部保持部材１７，１７が折返し部１６ｃ，１６ｃを包持可能な長さ寸法に形成されている。
【００１３】
この梯子１６は、チュービング装置１１を建設現場に設置し、チャックフレーム１４が最も下降している状態で、脚部保持部材１７，１７の上部から、連結部１６ｄ及び折返し部１６ｃ，１６ｃを脚部保持部材１７，１７に挿入することにより、梯子１６が脚部保持部材１７を介してチャックフレーム１４に取り付けられる。このとき、図１に示されるように、折返し部１６ｃ，１６ｃは下端側が脚部保持部材１７，１７に包持され、頂部がチャックフレーム１４よりも上方に突出した状態となっている。また、チャックフレーム１４の上昇時には、脚部保持部材１７，１７が折返し部１６ｃ，１６ｃを上方にスライドし、図２に示されるように、折返し部１６ｃ，１６ｃの中間部乃至上部を保持する状態となる。
【００１４】
本形態例は、上述のように形成されることにより、チュービング装置１１を建設現場に設置する際に、チャックフレーム１４に設けた脚部保持部材１７に梯子１６を保持させるだけで、梯子１６の高さ調整を行うことなく、チャックフレーム１４の昇降に拘わらず梯子１６を使用可能な状態とすることができ、作業者は、チャックフレーム１４がどの高さにあっても、良好な状態でチャックフレーム１４に取り付けられたデッキ上に昇降することができる。また、各脚部１６ａが連続した１本の部材で形成されているので、十分な強度を得ることができ、伸縮するものに比べてがたつくことがほとんどなく、安全に昇降することができる。
【００１５】
さらに、折返し部１６ｃ，１６ｃは、チャックフレーム１４の昇降方向に対して平行な方向に配置されるが、足載せ部材１６ｂを設けた脚部１６ａは、チャックフレーム１４の昇降方向に対して平行である必要はなく、傾斜させた状態とすることもできる。また、脚部１６ａの上端部から逆Ｕ字状に折り返した折返し部１６ｃを脚部保持部材１７で包持するように形成しているので、脚部１６ａに手摺や落下防止部材を設けることもできる。
【００１６】
図５及び図６は本発明の第２形態例を示すもので、第１形態例と同様の構成要素を示すものには、同一の符号を付して、その詳細な説明は省略する。本形態例の梯子１６は、前述の折返し部と連結部とを備えていない直線状の脚部１６ａ，１６ａと、足載せ部材１６ｂとで形成されるもので、脚部１６ａ，１６ａを脚部保持部材１７，１７に包持させるようにしている。脚部１６ａの長さは、チャックフレーム１４が最も上昇したときでも、脚部保持部材１７から脚部１６ａが外れない長さに形成されている。
【００１７】
尚、本発明の梯子は、上述の形態例のようにパイプ材で形成されるものに限らず、丸棒や角材で形成することもできる。また、脚部保持部材は、脚部や折返し部をスライド可能に包持できればよく、Ｚ形鋼や溝形鋼をチャックフレームの外面に溶接して脚部を包持するように形成することもできる。
【符号の説明】
【００１８】
１１…チュービング装置、１２…ベースフレーム、１３…昇降シリンダ、１４…チャックフレーム、１５…ドライブフレーム、１６…梯子、１６ａ…脚部、１６ｂ…足載せ部材、１６ｃ…折返し部、１６ｄ…連結部、１６ｅ…接地板、１７…脚部保持部材
【図１】
0005582938.tif 000002
【図２】
0005582938.tif 000003
【図３】
0005582938.tif 000004
【図４】
0005582938.tif 000005
【図５】
0005582938.tif 000006
【図６】
0005582938.tif 000007